(57)【特許請求の範囲】
【請求項１】
非接触式ＩＣカードとの間で電波信号を用いて通信を行うことによりＩＣカードに記憶されているデータを読取るＩＣカードリーダにおいて、
内部に通信用アンテナが配置されており前記ＩＣカードが近接した状態でデータの読取りが行われる本体のデータ読取り部に対して、ＩＣカードを保持するためのカードホルダが装着可能であり、前記カードホルダを前記データ読取り部に装着する方向が複数選択可能に構成され、
前記カードホルダは、前記データ読取り部に対して着脱可能に構成されていると共に、
前記カードホルダを前記データ読取り部に装着する方向と、装着されたカードホルダに保持されているＩＣカードを取り出す方向とが異なるように構成されていることを特徴とするＩＣカードリーダ。
【請求項２】
前記カードホルダを前記データ読取り部に装着する方向と、装着されたカードホルダに保持されているＩＣカードを取り出す方向とが略直交するように構成されていることを特徴とする請求項１記載のＩＣカードリーダ。
【請求項３】
前記データ読取り部は、前記カードホルダが装着される部分の外形が多角形状に形成されており、
前記カードホルダは、前記多角形をなす部分の辺若しくは頂点に嵌合するように装着されることを特徴とする請求項２記載のＩＣカードリーダ。
【請求項４】
前記カードホルダは、前記多角形をなす部分の少なくとも２つの辺若しくは頂点に嵌合するように装着されることを特徴とする請求項３記載のＩＣカードリーダ。
【請求項５】
前記データ読取り部の外形は、正方形状に形成されていることを特徴とする請求項４記載のＩＣカードリーダ。
【請求項６】
前記カードホルダの表面に、ＩＣカードの挿入方向が表示されていることを特徴とする請求項１乃至５の何れかに記載のＩＣカードリーダ。
【請求項７】
前記本体及びカードホルダに、装着された状態のカードホルダの脱落を防止するための嵌合係止部を備えていることを特徴とする請求項１乃至６の何れかに記載のＩＣカードリーダ。
【請求項８】
上位装置との通信を行うための通信用ケーブルが接続される通信用配線部と、
外部からの電源を供給するための電源用ケーブルが接続される電源用配線部とを備え、
前記通信用配線部と前記電源用配線部とが本体の同一面側に配置されていることを特徴とする請求項１乃至７の何れかに記載のＩＣカードリーダ。
【請求項９】
前記通信用配線部と前記電源用配線部とが一体に構成されていることを特徴とする請求項８記載のＩＣカードリーダ。
【請求項１０】
前記カードホルダは、本体を支持するための支持部材と一体に形成されていることを特徴とする請求項１乃至９の何れかに記載のＩＣカードリーダ。
【請求項１１】
前記カードホルダと一体に形成される支持部材は、所定の傾斜角を付与した状態で本体を支持可能に構成されていることを特徴とする請求項１０記載のＩＣカードリーダ。
【請求項１２】
請求項１乃至１１の何れかに記載のＩＣカードリーダを構成することを特徴とするＩＣカードリーダ本体。
【請求項１３】
請求項１乃至１１の何れかに記載のＩＣカードリーダを構成することを特徴とするカードホルダ。
【請求項１４】
請求項１乃至９の何れかに記載のＩＣカードリーダを所定の傾斜角で支持する支持部材であって、
前記ＩＣカードリーダを支持するための支持部と設置面のなす傾斜角を２つ以上設定可能に構成されていることを特徴とする支持部材。
【請求項１５】
前記支持部の１つは、その支持面が設置面に対してなす傾斜角が４５度未満であり、前記支持部の他の１つは、その支持面が設置面に対してなす傾斜角が４５度以上であることを特徴とする請求項１４記載の支持部材。
【請求項１６】
一体の部材で構成されていることを特徴とする請求項１４または１５記載の支持部材。
【請求項１７】
ＩＣカードリーダ本体を支持部に係止するための係止部を備えていることを特徴とする請求項１４乃至１６の何れかに記載の支持部材。
【発明の詳細な説明】
【０００１】
【発明の属する技術分野】
本発明は、非接触式ＩＣカードとの間で電波信号を用いて通信を行うことによりＩＣカードに記憶されているデータを読取るＩＣカードリーダ、そのＩＣカードリーダを構成する本体並びにカードホルダ、及び前記ＩＣカードリーダを所定の傾斜角で支持する支持部材に関する。
【０００２】
【発明が解決しようとする課題】
非接触式ＩＣカードは、ＩＣカードリーダとの間で電波信号を用いて通信を行うためユーザにとって利便性が良好であり、使用形態についても様々なものが想定される。例えば、ＩＣカードを入室時のＩＤチェックに用いる場合には、ＩＣカードリーダはＩＣカードに記憶されているユーザのＩＤコードを入室時に一瞬読取るだけであるから通信に要する時間は極めて短かく、ユーザはＩＣカードをＩＣカードリーダの読取り部の近傍にかざすだけで良い。
【０００３】
また、例えば、ユーザがパーソナルコンピュータ（パソコン）を操作しようとする場合に、ユーザ本人であることを確認するため、パソコン起動時のパスワードを読み込ませるような用途にＩＣカードを使用する場合も、必要な通信は一瞬で終了する。
【０００４】
一方、ユーザがパソコンを操作してセキュリティファイルに何度もアクセスする場合や、インターネットを介して様々なｗｅｂサイトにアクセスし、インターネットショッピングを行って電子マネーで決済を行う場合に、各サイトでＩＤコードの認証等が要求されるような形態も考えられる。このような使用形態においては、ＩＤコードの認証等が要求される場合に一々ＩＣカードをＩＣカードリーダの読取り部の近傍にかざす必要があり煩わしい。
【０００５】
上記の使用形態のように、比較的長い時間にわたって断続的に通信を行う必要がある用途では、ＩＣカードを読取り部の近傍に保持するためのカードホルダを設けて対応すれば良い。しかしながら、カードホルダを有する別タイプのＩＣカードリーダを用意することになると製品や販売管理等が煩雑となるおそれがある。
【０００６】
本発明は上記事情に鑑みてなされたものであり、その目的は、より広範な使用形態に対応することができるＩＣカードリーダ、そのＩＣカードリーダを構成する本体並びにカードホルダ、及び前記ＩＣカードリーダを所定の傾斜角で支持する支持部材を提供することにある。
【０００７】
【課題を解決するための手段】
請求項１記載のＩＣカードリーダによれば、内部に通信用アンテナが配置されており、ＩＣカードが近接した状態でデータの読取りが行われる本体のデータ読取り部に対して、ＩＣカードを保持するためのカードホルダが装着可能に構成されている。即ち、一回の利用に付きＩＣカードとの通信が一瞬しか行われないアプリケーションにおいては、本体のデータ読取り部にカードホルダを装着せずに使用すれば良く、逆に、一回の利用に付きＩＣカードとの通信が比較的長い時間にわたって複数回行われる場合があるアプリケーションでは、データ読取り部にカードホルダを装着させて使用すれば良い。従って、ＩＣカードリーダの本体を用途に応じて作り分ける必要がなくなり、より広範な使用形態に対応することができる。
【０００８】
また、カードホルダをデータ読取り部に装着する方向が複数選択可能に構成されるので、ＩＣカードリーダ本体を動かさずともユーザとＩＣカードリーダ本体との配置関係、或いはＩＣカードリーダ本体とその他の装置との配置関係等に対してカードの着脱方向が適当となるように変化させることができる。
そして、カードホルダをデータ読取り部に装着する方向と、装着されたカードホルダに保持されているＩＣカードを取り出す方向とが異なるように構成する。即ち、カードホルダがデータ読取り部に対して着脱可能に構成されている場合に、カードホルダを装着する方向とホルダに保持されているＩＣカードを取り出す方向とが一致すると、ＩＣカードの荷重が作用してカードホルダが脱落するおそれがある。従って、２つの方向が異なるように構成すればカードホルダの脱落を防止することができる。
請求項２記載のＩＣカードリーダによれば、カードホルダをデータ読取り部に装着する方向と装着されたホルダに保持されているＩＣカードを取り出す方向とが略直交するように構成するので、カードホルダの脱落をより確実に防止することができる。
【０００９】
請求項３記載のＩＣカードリーダによれば、カードホルダは、データ読取り部の多角形状をなす外形部分の辺若しくは頂点に対して嵌合することで装着されるように形成されるので、多角形の形状に応じてカードの着脱方向を変化させることができる。
【００１０】
請求項４記載のＩＣカードリーダによれば、カードホルダは、多角形をなす部分の少なくとも２つの辺若しくは頂点に嵌合するように装着されるので、カードホルダが装着された場合の保持力を高めることができる。
【００１１】
請求項５記載のＩＣカードリーダによれば、データ読取り部の外形を正方形状に形成するので、ＩＣカードの挿入方向を９０度変化させることができる。また、データ読取り部の外形を極力単純な形状にすることができる。
【００１４】
請求項６記載のＩＣカードリーダによれば、カードホルダの表面にＩＣカードの挿入方向を表示することで、ユーザが挿入方向を直観的に把握し易くすることができる。
【００１５】
請求項７記載のＩＣカードリーダによれば、本体及びカードホルダに、装着された状態のカードホルダの脱落を防止するための嵌合係止部を備えるので、カードホルダを確実に保持して脱落を防止することができる。
【００１６】
請求項８記載のＩＣカードリーダによれば、通信用ケーブルが接続される通信用配線部と電源用ケーブルが接続される電源用配線部とを何れも本体の同一面側に配置するので、本体を上位装置等と共に所定の領域に設置する場合に、それらケーブル配線の引き回しを容易に行うことができる。
【００１７】
請求項９記載のＩＣカードリーダによれば、通信用配線部と電源用配線部とが一体に構成されるので、それら配線部の配置スペースをより小さくすることができる。
【００１８】
請求項１０記載のＩＣカードリーダによれば、カードホルダを、ＩＣカードリーダ本体を支持するための支持部材と一体に形成するので、カードホルダを本体に装着させれば、支持部材をなす部分によってＩＣカードリーダを例えば机上に立てた状態で配置させ、カードホルダにＩＣカードを略垂直にセットすることができる。
【００１９】
請求項１１記載のＩＣカードリーダによれば、カードホルダと一体に形成される支持部材を、所定の傾斜角を付与した状態で本体を支持可能に構成する。例えば、ユーザが机上に配置されたＩＣカードリーダのカードホルダにＩＣカードを挿入する場合、ＩＣカードが傾斜した状態で挿入されるとＩＣカードとデータ読取り部との接触状態が良好となる。
【００２０】
従って、そのような使用形態においてはＩＣカードとＩＣカードリーダとの通信を良好に行うことができる。また、ユーザにとっては、ＩＣカードを傾斜した角度で挿入する方が挿入し易い場合もあるので、状態に応じて使い勝手が良くなるようにすることも可能である。
【００２１】
請求項１４記載の支持部材によれば、請求項１乃至９の何れかに記載のＩＣカードリーダを複数の傾斜角で支持することを可能にして構成しているので、ＩＣカードリーダの支持角，即ちＩＣカードを挿入したり取り出したりする角度を用途に応じて変化させることができる。
【００２２】
請求項１５記載の支持部材によれば、支持部の１つは傾斜角が設置面に対して４５度未満をなし、他の１つは傾斜角が設置面に対して４５度以上をなすように構成されるので、用途やユーザの好み等に応じてＩＣカードの挿入角，取り出し角を浅くしたり深くしたりするように変化させることができる。
【００２３】
請求項１６記載の支持部材によれば、一体の部材で構成することで、１回の成型工程で簡単に形成することができる。
【００２４】
請求項１７記載の支持部材によれば、ＩＣカードリーダを支持部に係止するための係止部を備えるので、ＩＣカードリーダが支持部を滑り落ちて脱落することを防止して確実に支持することができる。
【００２５】
【発明の実施の形態】
（第１実施例）
以下、本発明の第１実施例について図１乃至図６を参照して説明する。図２（ａ）〜（ｃ）はリーダライタ本体の三面図，図３（ａ）〜（ｃ）はカードホルダの三面図，図１（ａ）〜（ｃ）はリーダライタ本体にカードホルダを装着した状態のリーダライタの三面図を示す。
【００２６】
リーダライタ本体（ＩＣカードリーダ本体）１は、略矩形箱状の筐体２の正面側にデータ読取り部３を備えている。データ読取り部３は外形が正方形状であり、全体が筐体２から若干突出するようにして形成されている。また、その外形の周縁部３ａは、筐体２の正面に接合している部分（接合部３ｂ）に対して僅かに外方に張り出した形状になっている。そして、データ読取り部３の内部には、ＩＣカードと電波信号により通信を行うためのアンテナコイル４（破線で示す，通信用アンテナ）が配置されている。
【００２７】
図２（ｃ）に示すように、リーダライタ本体１の右側面側には、例えばＤｓｕｂ９ピンのＲＳ−２３２Ｃ用コネクタ（通信用配線部）５と、図示しないＡＣアダプタのプラグによって動作用の直流電源が供給されるＤＣＩＮジャック（電源用配線部）６とが配置されている。コネクタ５には、リーダライタの上位装置であるパソコンとシリアル通信を行うためのケーブルが接続される。
【００２８】
カードホルダ７は略正方形状の枠体７ａとして構成されており、その正面側の下半分には、ＩＣカードを保持するために略Ｕ字状に形成されている保持部８が設けられている。図３（ｃ）に示すように、保持部８は、ユーザがＩＣカードを挿入する場合に角度を与えるため、枠体７ａに対して若干手前側（正面側）に傾斜をなすように形成されている。
【００２９】
また、保持部８の下辺側には、ＩＣカードの挿入方向を示す下向き矢印と“ｃａｒｄ”の文字からなる表示９が印刷または掘り込みなどで表されている。枠体７ａの上辺部と下辺部とは背面側に折り返した形状をなすように端部７ｕ，７ｄが延設されており（図３（ｃ）参照）、ガイド部１０ｕ，１０ｄを夫々構成している。
【００３０】
そして、図４に示すように、カードホルダ７は、本体１のデータ読取り部３に対して側方から取り付けられる。即ち、ガイド部１０ｕ，１０ｄを、周縁部３ａと接合部３ｂとで形成されている段差に合わせて左側方から嵌め込み、右方向にスライドさせるようにして嵌合させる。
【００３１】
ここで、図３（ａ），（ｄ）に示すように、ガイド部１０ｕ，１０ｄ側には、その先端面における中央位置に、本体１と嵌合させるための突起部（嵌合係止部）１１ｕ，１１ｄが設けられている。一方、接合部３ｂの四辺夫々の中央位置には、突起部１１ｕ，１１ｄを受け入れるための窪み部（嵌合係止部）３ｃが形成されており、カードホルダ７が図４に示すように嵌合された場合は、データ読取り部３の上辺部と下辺部とに設けられている窪み部３ｃがカードホルダ７の突起部１１ｕ，１１ｄを受け入れるようになっている。
【００３２】
以上のリーダライタ本体１とホルダ７とでリーダライタ（ＩＣカードリーダ）１２が構成されている。そして、図１に示すように本体１にホルダ７が装着された場合には、図５に示すように、ホルダ７の保持部８に非接触式のＩＣカード１３を挿入してセットすることが可能となる。この場合、ホルダ７を本体１に装着させる方向と、ＩＣカード１３をホルダ７に挿入したり取り出したりする方向とは９０度異なっている。そして、ＩＣカード１３がホルダ７に完全にセットされた状態では、ＩＣカード１３は略垂直に保持されるようになっている。
【００３３】
また、データ読取り部３の形状から明らかなように、本体１に対するホルダ７の取り付けは、図４に示す方向に対して９０度，１８０度若しくは２７０度異なる方向であっても可能となっている。
【００３４】
図６（ａ），（ｂ）は、リーダライタ１２の使用形態例を夫々示す。例えば、前述したように、ユーザがパソコン（上位装置）１４を操作しようとする場合に、ユーザ本人であることを確認するためパソコン１４起動時のパスワードを読み込ませるためにＩＣカード１３を使用する場合は、図６（ａ）に示すように本体１にホルダ７を装着することなく、ユーザは手にしたＩＣカード１３をデータ読取り部３の近傍にかざせば必要な通信は一瞬で終了するので用をなす。
【００３５】
一方、ユーザがパソコン１４を操作してインターネットショッピングを行う場合は、図６（ｂ）に示すように本体１にホルダ７を装着して、ユーザはＩＣカード１３をホルダ７に挿入しセットさせる。そして、ユーザが複数のｗｅｂサイトにおいて電子マネーで決済を行う際に夫々ＩＤコードの認証等が要求される場合には、リーダライタ１２はホルダ７にセットされた状態のＩＣカード１３と随時通信を行う。
【００３６】
以上のように本実施例によれば、リーダライタ本体１のデータ読取り部３に対して、ＩＣカード１３を保持するためのカードホルダ７を装着可能に構成したので、一回の利用に付きＩＣカード１３との通信が一瞬しか行われないアプリケーションにおいては、ユーザは本体１のデータ読取り部３にカードホルダ７を装着せずに使用すれば良く、逆に、一回の利用に付きＩＣカード１３との通信が比較的長い時間にわたって複数回行われる場合があるアプリケーションでは、データ読取り部３にカードホルダ７を装着させて使用すれば良い。従って、リーダライタ１２の本体１を用途に応じて作り分ける必要がなくなり、より広範な使用形態に対応することができる。
【００３７】
また、データ読取り部３の外形を正方形状に形成して、カードホルダ７を装着する方向を複数選択可能にしたので、リーダライタ本体１を動かさずともユーザと本体１との配置関係、或いは本体１とパソコン１４等との配置関係等に対してＩＣカード１３の着脱方向が適当となるように変化させることができる。そして、カードホルダ７は、データ読取り部３の上辺部，下辺部にガイド部１０ｕ，１０ｄを嵌合するように装着されるので、ホルダ７が装着された場合の保持力を高めることができる。
【００３８】
更に、ホルダ７をデータ読取り部３に装着する方向と、装着されたホルダ７に保持されているＩＣカード１３を取り出す方向とを直交させるようにしたので、ＩＣカード１３を挿入した場合にホルダ７の脱落を防止することができる。加えて、カードホルダ７の表面にＩＣカード１３の挿入方向を表示する表示９を配置したので、ユーザが挿入方向を直観的に把握し易くすることができる。
【００３９】
また、本実施例によれば、装着された状態のカードホルダ７の脱落を防止するために、本体１側に窪み部３ｃを設け、ホルダ７側に突起部１１ｕ，１１ｄを設けたので、ホルダ７を確実に保持して脱落を防止することができる。
この際、ホルダ７の突起部１１ｕ，１１ｄは、ホルダをどの方向に装着した際にも脱落防止用の嵌合部として働く。このように、ガイド部１０ｕ，１０ｄ及び突起部１１ｕ，１１ｄは複数の方向で共用されるため、ホルダ７及び本体１の構造が簡単になる。
【００４０】
更にまた、通信用ケーブルが接続されるコネクタ５と電源用ケーブルが接続されるＤＣＩＮジャック６とを何れも本体１の同一面側に配置したので、本体１をパソコン１４等と共に所定の領域に設置する場合に、それらケーブル配線の引き回しを容易に行うことができる。
【００４１】
（第２実施例）
図７及び図８は本発明の第２実施例を示すものであり、第１実施例と同一部分には同一符号を付して説明を省略し、以下異なる部分についてのみ説明する。第２実施例では、データ読取り部３に代わるデータ読取り部１５の外形を正八角形にしたものである。その他は第１実施例と同様であり、リーダライタ本体１６が構成されている。
【００４２】
一方、それに合わせて、カードホルダ７に代わるカードホルダ１７の形状も変形させている。即ち、枠体１７ａの保持部１８が設けられている部分を、枠体７ａにおける２つの頂点部分を４５度でカットした形状にしている。そして、カードホルダ１７は、データ読取り部１５に対し、図８において例えば右上４５度方向から左下方向にスライドされて嵌合されている。
以上のように構成した第２実施例によれば、カードホルダ１７を、本体１６に装着する場合の方向を、４５度単位で変化させることができる。
【００４３】
（第３実施例）
図９は本発明の第３実施例を示すものであり、第１実施例と同一部分には同一符号を付して説明を省略し、以下異なる部分についてのみ説明する。第３実施例では、カードホルダ１９の横幅寸法が、第１実施例のカードホルダ７よりも若干大きめに形成されていると共に、保持部２０も少し大きくなっておりポケット状に形成されている。このホルダ１９は、第１実施例のようにリーダライタ本体１に装着可能である。そして、ＩＣカード１３が例えばビニール製のカードケース２１に入れられている場合であっても、ＩＣカード１３をそのままの状態でカードケース２１ごとホルダ１９にセット可能となっている。
【００４４】
以上のように構成した第３実施例によれば、ユーザは、ホルダ７に代えてホルダ１９を装着でき、ユーザの好みに応じたセッティングにすることが可能である。この時、ＩＣカード１３がカードケース２１に入れられている場合であっても、ユーザは、ＩＣカード１３をケース２１から一々取り出すことなしにホルダ１９にセットすることができる。
【００４５】
（第４実施例）
図１０は本発明の第４実施例を示すものであり、第１実施例と同一部分には同一符号を付して説明を省略し、以下異なる部分についてのみ説明する。第４実施例では、図１０に示すように、カードホルダ７の端部７ｕ，７ｄに設けられていた突起部１１ｕ，１１ｄに代わって、端部７ｕ，７ｄの図１０（ａ）における左右両端側に爪状の突起部（嵌合係止部）２２ｕ，２２ｄが形成されており、カードホルダ２３が構成されている。
【００４６】
そして、カードホルダ２３を第１実施例と同様に側方よりデータ読取り部３に装着させる場合、突起部２２ｕ，２２ｄは弾性変形するようになっており、カードホルダ２３が所定の位置に達すると、突起部２２ｕ，２２ｄは接合部３ｂの４つの頂点部に嵌合するようになっている。
【００４７】
以上のように構成した第４実施例によれば、カードホルダ２３のガイド部１０ｕ，１０ｄの両端側に設けられた突起部２２ｕ，２２ｄがデータ読取り部３の四隅の頂点部に嵌合することで、例え窪み部３ｃが設けられていない場合であってもカードホルダ２３がデータ読取り部３から簡単に外れないようにすることができる。
【００４８】
（第５実施例）
図１１及び図１２は本発明の第５実施例を示すものである。第５実施例のカードホルダ２７は、図１２（ｃ）に示すように、カードホルダ７の端部７ｕ，７ｄの先端面を、斜め４５度にカットした形状にしたものである。一方、図１１に示すリーダライタ本体２４のデータ読取り部２５は、その四隅に２つずつ計８個の窪み部（嵌合係止部）２６を備えている。
【００４９】
この場合、カードホルダ２７をデータ読取り部２５に装着するには、第１実施例のように側方からスライドさせるのではなく、正面側からカードホルダ２７を押し込むようにして装着する。すると、斜めにカットされた先端面２８が、データ読取り部２５の四隅に設けられた窪み部２６に当接して弾性変形し、その窪み部２６を乗り越えて接合部２５ｂに至ることで装着される。
【００５０】
（第６実施例）
図１３乃至図１５は本発明の第６実施例を示すものである。第６実施例のカードホルダ２９は、第１実施例におけるカードホルダ７に相当するホルダ部３０と、リーダライタ本体１を略垂直に立てた状態で例えば机上等に設置するためのステー部（支持部材）３１とを一体にした形状で構成されている。
【００５１】
ステー部３１は、矩形平板状の基部３１ａ（図１３（ｂ）参照）と、その基部３１ａの後端側に立設されている支持部３１ｂ（図１３（ｃ）参照）とで構成されており、ホルダ部３０は、基部３１ａの前端側に立設されている（図１３（ｂ）参照）。そして、カードホルダ２９が第１実施例と同様にして本体１に装着されると、ステー部３１は、ホルダ部３０と支持部３１ｂとで本体１を支持するようになる。以上がリーダライタ（ＩＣカードリーダ）３２を構成している。
【００５２】
また、図１４は、カードホルダ２９の装着状態が図１３の場合と１８０度異なる場合を示す。即ち、図１３の場合は、コネクタ５及びＤＣＩＮジャック６が正面側から見て右側方に位置しているが、図１４の場合は、それらが正面側から見て左側方に位置している（本体１側が１８０度回転した状態にある）。
【００５３】
図１５（ａ）は、カードホルダ２９の装着状態が図１３の場合に、リーダライタ３２をパソコン１４の左側に配置して使用する状態を示す。また、図１５（ｂ）は、カードホルダ２９の装着状態が図１４の場合に、リーダライタ３２をパソコン１４の右側に配置して使用する状態を示す。何れの場合も、ＩＣカード１３をリーダライタ３２の上方から略垂直にカードホルダ２９のホルダ部３０にセットする。
【００５４】
以上のように第６実施例によれば、カードホルダ２９を、リーダライタ本体１を支持するためのステー部３１と一体に形成したので、カードホルダ２９を本体１に装着させれば、ステー部３１によってリーダライタ３２を机上等に立てた状態で配置させ、ホルダ部３０にＩＣカード１３を略垂直にセットすることができる。
【００５５】
（第７実施例）
図１６及び図１７は本発明の第７実施例を示すものであり、第６実施例と異なる部分についてのみ説明する。第７実施例のカードホルダ３３は、第６実施例におけるカードホルダ２９のホルダ部３０を、ステー部（支持部材）３４を構成する基部３４ａに対して上下を逆にした構成となっている。そして、第６実施例における基部３１ａのホルダ部３０に対して前方に突出していた部分はなく、基部３４ａからホルダ部３０の上端側にかけては９０度折曲がった断面形状をなしている。以上がリーダライタ（ＩＣカードリーダ）３５を構成している。
【００５６】
第７実施例では、カードホルダ３３が装着されたリーダライタ３５を第６実施例のように机上等に立てた状態で使用するものではなく、例えば図１６に示すように、基部３４ａの後端部３４ｃとリーダライタ本体１の一端部とが設置面に触れるように配置することで、本体１を傾斜させた状態で支持する場合を想定している。尚、図１６（ａ），（ｂ）では、図１３，図１４と同様にコネクタ５及びＤＣＩＮジャック６が位置する側が左右逆になっている。
【００５７】
図１７は、カードホルダ３３を図１６（ｂ）のように装着させた場合に、パソコン１４の右側にリーダライタ３５を配置して使用する状態を示す。この時、ユーザは、ＩＣカード１３をリーダライタ３５の手前側からカードホルダ３３に挿入することになる。
【００５８】
以上のように構成された第７実施例によれば、カードホルダ３３と一体に形成されるステー部３４を、所定の傾斜角を付与した状態で本体１を支持するように構成したので、例えば、ユーザが椅子等に座った状態で机上に配置されたリーダライタ３５のカードホルダ３３にＩＣカード１３を挿入する場合に、ユーザにとっては俯角方向に傾斜した角度で挿入することができ、使い勝手を向上させることができる。
【００５９】
また、ＩＣカード１３が傾斜した状態でホルダ１３に挿入されるとＩＣカード１３とデータ読取り部３との接触状態が良好となるので、そのような使用形態におけるＩＣカード１３とリーダライタ３５との通信を良好に行うことができる。
【００６０】
（第８実施例）
図１８乃至図２０は本発明の第８実施例を示すものである。第８実施例は、第１乃至第５実施例の何れかのリーダライタを机上等に配置するために、リーダライタとは別体で構成されたステー（支持部材）３６を示す。ステー３６は、設置面に接する矩形平板状の基部３６ａ，その基部３６ａの両端より僅かな長さで垂直に立ち上がった後、夫々所定の傾斜角θ１，θ２を有するように折れ曲がっている２つの載置用斜面（支持部）３６ｂ，３６ｃで構成されている。載置用斜面３６ｂ，３６ｃが設置面に対してなす傾斜角角θ１，θ２は、夫々４５度未満，４５度以上未満となっており、それらの先端部分は僅かな間隙を有して対向して（開いて）いる。ステー３６は、例えば合成樹脂などにより一部材として形成されている。
【００６１】
そして、これら２つの載置用斜面３６ｂ，３６ｃの何れか一方に、例えば第１実施例のリーダライタ１２が選択的に載置される（図１８では、例示のため２つの載置用斜面３６ｂ，３６ｃにリーダライタ１２を載置している）。リーダライタ１２を斜面３６ｂ，３６ｃに載置する場合は、図１８に例示的に示すが、例えば両面テープ３７を用いたり、或いは、リーダライタ１２側に取付け足３８を突出させるようにして形成させておき、斜面側にはその取付け足３８を受け入れるための穴（若しくは凹部，係止部）３９を設けて両者を嵌合させるようにする。また、具体的には図示しないが、斜面の下端側にリーダライタ１２を係止するための係止部を突設しても良い。
【００６２】
図１９（ａ）は、机４０の上にステー３６を設置して、ステー３６の載置用斜面３６ｂにリーダライタ１２を載置した場合の使用例を示す。この場合、ユーザ４１は、リーダライタ１２の手前側からＩＣカード１３をカードホルダ７に挿入することになる。また、リーダライタ本体１のコネクタ５及びＤＣＩＮジャック６（図１９では図示せず）は、ユーザ４１が位置する右方から奥行側に位置するようになっており、机４０上で奥行側に通信ケーブル４２等の配線スペースを確保できる場合に好適である。
【００６３】
また、図１９（ｂ）は、ステー３６の載置用斜面３６ｃにリーダライタ１２を載置した場合の使用例を示す。この場合、ユーザ４１は、リーダライタ１２の上方側からＩＣカード１３をカードホルダ７に挿入することになる。そして、コネクタ５及びＤＣＩＮジャック６は、図１９において紙面奥行側に位置するようになっており、ユーザから見て右方向に通信ケーブル４２等の配線スペースを確保できる場合に好適である。
【００６４】
尚、図２０（ａ）は、図１９（ｂ）のケースをユーザ４１の視点から見たものであり、リーダライタ１２の左側にはパソコン１４のモニタ１４ａが配置され、右側にはパソコン１４の本体１４ｂが配置されてる場合である。また、図２０  （ｂ）は、図１９（ｂ）の逆側から見た場合を示す。
【００６５】
以上のように第８実施例によれば、ステー３６を、傾斜角が夫々４５度未満，４５度以上をなす２つの載置用斜面３６ｂ，３６ｃを有するように一体の部材で構成したので、リーダライタ１２の支持角，即ちＩＣカード１３を挿入したり取り出したりする角度を用途に応じて変化させることができる。また、ステー３６を１回の成型工程で簡単に形成することができる。更に、リーダライタ１２を斜面３６ｂに係止するための係止用穴３９を備えるので、リーダライタ１２が斜面３６ｂを滑り落ちて脱落することを防止して確実に支持することができる。
【００６６】
（第９実施例）
図２１は本発明の第９実施例を示すものである。第９実施例のステー３６Ａは、第８実施例のステー３６と形状が若干異なっている。即ち、ステー３６Ａは載置用斜面３６ｃを有していない。また、載置用斜面（支持部）３６ｂの先端部分は鈍角に折れ曲がっており、僅かな長さに延設された部分が支持部３６ｄをなしている。
【００６７】
そして、ステー３６Ａの載置用斜面３６ｂにリーダライタ１２を載置する場合は第８実施例と同様であり、第８実施例で載置用斜面３６ｃ側にリーダライタ１２を載置する場合に代えて、リーダライタ１２を基部３６ａの表面と支持部３６ｄとで支持する。この場合も、リーダライタ１２を支持する傾斜角θ２は、第８実施例と同様に４５度以上となっている。
以上のように構成された第９実施例によれば、第８実施例と同様の効果が得られる。
【００６８】
（第１０実施例）
図２２は本発明の第１０実施例を示すものであり、ステー３６Ｂ及びリーダライタ１２の斜視図を示す。第１０実施例のステー３６Ｂは、第８実施例のステー３６と形状が若干異なっている。即ち、ステー３６Ｂは，載置用斜面３６ｂに相当する部分が基部３６ａの一端から延設されておらず、載置用斜面３６ｃの先端部分が鈍角に折れ曲がって、第８実施例の載置用斜面３６ｂに相当する載置用斜面３６ｅが形成されている。載置用斜面３６ｅがなす傾斜角は載置用斜面３６ｂと同様にθ１であり、その先端部分は基部３６ａの一端側で垂直に折れ曲がっている。
【００６９】
そして、図２２では、載置用斜面３６ｃ側にリーダライタ１２を載置してＩＣカード１３をホルダ７に挿入する状態を示している。以上のように構成された第１０実施例によれば、第８実施例と同様の効果が得られる。
【００７０】
（第１１実施例）
図２３は本発明の第１１実施例を示すものである。第１１実施例のステー３６Ｃは、第１０実施例のステー３６Ｂとは逆に、載置用斜面３６ｃに相当する部分が基部３６ａの一端から延設されておらず、載置用斜面３６ｂの先端部分が鈍角に折れ曲がって、第８実施例の載置用斜面３６ｃに相当する載置用斜面３６ｆが形成されている。そして、図２３では、載置用斜面３６ｂ側にリーダライタ１２を載置してＩＣカード１３をホルダ７に挿入する状態を示している。以上のように構成された第１１実施例によれば、第８実施例と同様の効果が得られる。
【００７１】
（第１２実施例）
図２４は本発明の第１２実施例を示すものである。第１２実施例のステー（支持部材）４３は、設置面に接する矩形平板状の基部４３ａ，その基部４３ａの一端より僅かな長さで垂直に立ち上がった後、傾斜角θ１をなすように折れ曲がっている載置用斜面（支持部）４３ｂ，斜面４３ｂの先端部分が鈍角に折れ曲がり設置面と平行な面となっている載置面（支持部）４３ｃ，載置面４３ｃの先端部分が鈍角に折れ曲がり傾斜角θ２をなす載置用斜面（支持部）４３ｄとで構成されている。載置用斜面４３ｄの先端部分は、基部４３ａの表面に接することなく、開いている。そして、ステー４３は、ステー３６と同様に合成樹脂などにより一部材として形成されている。
【００７２】
この場合、ステー４３は、載置用斜面４３ｂ，４３ｄ及び載置面４３ｃからなる３つの支持部を有しているので、ユーザは、第８実施例等と同様の２つの挿入角度に加えて、ＩＣカード１３を設置面と平行に挿入することも可能となる。
【００７３】
（第１３実施例）
図２５は本発明の第１３実施例を示すものである。第１３実施例のステー（支持部材）４４は、２つの載置用斜面（支持部）４４ａ，４４ｂのみで構成されており、それら２つの斜面４４ａ，４４ｂが鋭角θ２をなすように一体成型で形成されている。そして、斜面４４ａの長さは斜面４４ｂよりも長くなっている。
【００７４】
図２５（ａ）は、斜面４４ａにリーダライタ１２を載置する場合を示す。この時、ステー４４は、２つの斜面４４ａ，４４ｂの先端が設置面に接触させる向きで載置され、斜面４４ａと設置面とがなす傾斜角はθ１となっている。
一方、図２５（ｂ）は、斜面４４ｂにリーダライタ１２を載置する場合を示す。この時、ステー４４は、斜面４４ａを設置面に接触させるように載置されるので、斜面４４ｂの傾斜角はθ２となる。
以上のように構成された第１３実施例によれば、ステー４４の形状を極めて簡単にすることが可能である。
【００７５】
（第１４実施例）
図２６は本発明の第１４実施例を示すものである。第１４実施例のステー（支持部材）４５は、支持部として１つの載置用斜面４５ａだけ有しており、それに加えて載置用斜面４５ａの一端から角度θ２で折れ曲がる設置用面４５ｂと、載置用斜面４５ａ他端から角度θ１で折れ曲がる設置用面４５ｃとを備えて構成されている。尚、載置用斜面４５ａの長さは、設置用面４５ｂ，４５ｃよりも長くなるように形成されている。
【００７６】
そして、ステー４５は、設置面に対して２つの態様で設置することを可能としている。即ち、１つの設置態様は、図２６（ａ）に示すように設置用面４５ｃと設置用面４５ｂの一端とを設置面に接触させる場合であり、載置用斜面４５ａにリーダライタ１２を載置した場合の傾斜角はθ１となる。もう１つの設置態様は、図２６（ｂ）に示すように設置用面４５ｂを設置面に接触させる場合であり、載置用斜面４５ａにリーダライタ１２を載置した場合の傾斜角はθ２となる。
【００７７】
また、載置用斜面４５ａには、リーダライタ１２の取付け足３８を受け入れるための凹部４６が形成されている。凹部４６は、図２６（ｃ）に示すように、載置用斜面４５ａの両辺部分を円弧状に切り欠くようにして形成されている。そして、リーダライタ１２は、ステー４５に対して載置用斜面４５ａに貼り付けられた両面接着剤（両面テープ）４７によって接着固定されるようになっている。載置用斜面４５ａには、両面接着剤４７を貼り付ける位置がリーダライタ１２の載置方向に応じて２か所に確保されている。
【００７８】
以上のように構成された第１４実施例によれば、ステー４５を極めて単純な形状とすることができる。そして、図２６（ａ），（ｂ）の何れの形態でステー４５を設置した場合も、リーダライタ１２を載置用斜面４５ａに載置するために必要な面積以外の無駄なスペースを極力排除することができる。
【００７９】
（第１５実施例）
図２７は本発明の第１５実施例を示すものである。第１５実施例のステー（支持部材）４８は、３つの支持部である載置用斜面４８ａ，４８ｂ及び載置面４８ｃを有しており、それに加えて設置用面４８ｄを備えて構成されている。尚、載置面４８ｃは設置用面をも兼用する。
【００８０】
図２７（ａ）は、載置面４８ｃを設置用面として設置した場合を示す。設置用面４８ｄは、載置面４８ｃの一端から垂直（角度θ３）に立ち上がっており、載置用斜面４８ａは、設置用面４８ｄの一端から設置面に対して角度θ１をなすように延設されている。そして、載置用斜面４８ｂは、載置用斜面４８ａの一端から鈍角をなして折れ曲がるように延設され、設置面に接するその先端部分は外側に直角をなして折れ曲がり係止部４８ｅを構成している。この状態で載置用斜面４８ｂが設置面に対してなす角はθ２となっている。
図２７（ａ）では、リーダライタ１２は載置用斜面４８ａに両面接着剤４７を介して接着固定されている。
【００８１】
また、図２７（ｂ）は、ステー４８の設置形態は図２７（ａ）と同様であり、リーダライタ１２を載置用斜面４８ｂに載置した場合を示している。この時、リーダライタ１２は係止部４８ｅによって係止される。
【００８２】
更に、図２７（ｃ）は、ステー４８の設置用面４８ｄを用いて設置した場合を示す。この場合、リーダライタ１２は載置面４８ｃに両面接着剤４７を介して接着固定されており、設置面に対して垂直に支持されている。尚、載置面４８ｃの面積は、図２７（ａ），（ｂ）の場合のステー４８の設置面積よりも小さくなるように設定されている。
【００８３】
以上のように構成された第１５実施例によれば、ステー４８を単純な形状にして小形に構成でき、また、リーダライタ１２の支持形態も図２７（ａ）〜（ｃ）に示す３種類から選択することができる。そして、図２７（ｃ）に示すように、リーダライタ１２を垂直に支持する場合には、必要な設置面積を極めて小さくすることができる。
【００８４】
本発明は上記し且つ図面に記載した実施例にのみ限定されるものではなく、次のような変形または拡張が可能である。
データ読取り部の外形は、正方形や正八角形に限ることなく、その他五角形や六角形などの多角形状にしても良い。
例えば、第１実施例のカードホルダ７を、データ読取り部３の上辺側のみに引っ掛けて本体１に係止するように構成しても良い。
カードホルダ及び本体の嵌合係止部は、構造上必要である場合に設ければ良い。
【００８５】
カードホルダの表面に、ＩＣカードの挿入方向を表示することは、必要に応じて行えば良い。
通信用配線部と電源用配線部とを一体に構成しても良い。斯様に構成すれば、それら配線部の配置スペースをより小さくすることができる。
支持部材の形状は、例示したものだけに限ることなく、少なくとも２つの支持部を有する形状であれば細部については適宜変更して実施すれば良い。
ＩＣカードに記憶されているデータを読み込む機能だけを有しているＩＣカードリーダに適用しても良い。
支持部材は、複数の部材を組み合わせて構成したものでも良い。
支持部材は、断面が多角形状をなすように閉じた面で構成しても良い。
【図面の簡単な説明】
【図１】本発明の第１実施例であり、（ａ）〜（ｃ）はリーダライタ本体にカードホルダを装着した状態のリーダライタの三面図
【図２】（ａ）〜（ｃ）はリーダライタ本体の三面図、（ｄ）は（ｂ）の一部を拡大して示す図
【図３】（ａ）〜（ｃ）はカードホルダの三面図、（ｄ）は（ｃ）の一部を拡大して示す図
【図４】（ａ）はカードホルダをリーダライタ本体に装着する途中の状態を示す正面図、（ｂ）は同底面図
【図５】（ａ）はカードホルダが装着された状態のリーダライタにＩＣカードを挿入した状態を示す正面図、（ｂ）は同側面図
【図６】リーダライタをパソコンと接続した状態で使用する場合の例であり、（ａ）はカードホルダを装着しない場合、（ｂ）はカードホルダを装着した場合を示す図
【図７】本発明の第２実施例を示す図２（ａ）〜（ｃ）相当図
【図８】図１（ａ）相当図
【図９】本発明の第３実施例を示す図３（ａ）〜（ｃ）相当図（但し、ＩＣカードをホルダに挿入した場合）
【図１０】本発明の第４実施例を示す図３（ａ）〜（ｃ）相当図、（ｄ）は（ａ）の一部を拡大して示す図
【図１１】本発明の第５実施例を示す図２（ａ）〜（ｃ）相当図
【図１２】（ａ）〜（ｃ）は図３（ａ）〜（ｃ）相当図、  （ｄ）はホルダの一隅部分を拡大して示す背面図
【図１３】本発明の第６実施例を示す図１（ａ）〜（ｃ）相当図
【図１４】カードホルダの装着方向が１８０度異なる場合の図１３（ａ）相当図
【図１５】図６相当図であり、（ａ）はリーダライタをパソコンの左側に配置した場合、（ｂ）はリーダライタをパソコンの右側に配置した場合を示す図
【図１６】本発明の第７実施例であり、（ａ）はカードホルダが装着されたリーダライタを設置面に配置した状態を示す側面図、（ｂ）はカードホルダの装着方向が１８０度異なる場合の（ａ）相当図
【図１７】図６相当図
【図１８】本発明の第８実施例であり、ステーにリーダライタを載置した状態を示す側面図
【図１９】（ａ）は、机の上にステーを設置して、ステーの載置用斜面にリーダライタを載置した場合の使用例、（ｂ）はもう１つの載置用斜面にリーダライタを載置した場合の使用例を示す図
【図２０】（ａ）は図１９（ｂ）をユーザの視点から見た場合を示し、（ｂ）は図１９  （ｂ）の逆側から見た場合を示す図
【図２１】本発明の第９実施例を示す図１８相当図
【図２２】本発明の第１０実施例を示すステー及びリーダライタの斜視図
【図２３】本発明の第１１実施例を示す図２２相当図
【図２４】本発明の第１２実施例を示す図１８相当図
【図２５】本発明の第１３実施例を示す図１９相当図
【図２６】本発明の第１４実施例であり、（ａ），（ｂ）はステー及びリーダライタの異なる設置形態を示す図、（ｃ）はステーの載置用斜面の正面図
【図２７】本発明の第１５実施例であり、（ａ）〜（ｃ）はステー及びリーダライタの異なる設置形態を示す図
【符号の説明】
１はリーダライタ本体、３はデータ読取り部、３ｃは窪み部（嵌合係止部）、４はアンテナコイル（通信用アンテナ）、５はＲＳ−２３２Ｃ用コネクタ（通信用配線部）、６はＤＣＩＮジャック（電源用配線部）、７はカードホルダ、９は表示、１１ｕ，１１ｄは突起部（嵌合係止部）、１２はリーダライタ（ＩＣカードリーダ）、１３はＩＣカード、１４はパーソナルコンピュータ（上位装置）、１５はデータ読取り部、１６はリーダライタ本体、１７，１９はカードホルダ、２２ｕ，２２ｄは突起部（嵌合係止部）、２６は窪み部（嵌合係止部）、２７，２９はカードホルダ、３０はホルダ部、３１はステー部（支持部材）、３２はリーダライタ、３３はカードホルダ、３４はステー部（支持部材）、３５はリーダライタ（ＩＣカードリーダ）、３６Ａ〜３６Ｃはステー（支持部材）、３６ｂ，３６ｃは載置用斜面（支持部）、３９は係止用穴（係止部）、４３はステー（支持部材）、４３ｂ，４３ｄは載置用斜面（支持部）、４３ｃは載置面（支持部）、４４はステー（支持部材）、４４ａ，４４ｂは載置用斜面（支持部）、４５はステー（支持部材）、４５ａは載置用斜面（支持部）、４８はステー（支持部材）、４８ａ，４８ｂは載置用斜面（支持部）、４８ｃは載置面（支持部）を示す。
【図１】
0004300719.tif 000002
【図２】
0004300719.tif 000003
【図３】
0004300719.tif 000004
【図４】
0004300719.tif 000005
【図５】
0004300719.tif 000006
【図６】
0004300719.tif 000007
【図７】
0004300719.tif 000008
【図８】
0004300719.tif 000009
【図９】
0004300719.tif 000010
【図１０】
0004300719.tif 000011
【図１１】
0004300719.tif 000012
【図１２】
0004300719.tif 000013
【図１３】
0004300719.tif 000014
【図１４】
0004300719.tif 000015
【図１５】
0004300719.tif 000016
【図１６】
0004300719.tif 000017
【図１７】
0004300719.tif 000018
【図１８】
0004300719.tif 000019
【図１９】
0004300719.tif 000020
【図２０】
0004300719.tif 000021
【図２１】
0004300719.tif 000022
【図２２】
0004300719.tif 000023
【図２３】
0004300719.tif 000024
【図２４】
0004300719.tif 000025
【図２５】
0004300719.tif 000026
【図２６】
0004300719.tif 000027
【図２７】
0004300719.tif 000028